(57)【要約】【課題】被取付部から照明器具までの厚みを薄くすることができる照明器具を提供する。【解決手段】筺体１０と、筺体１０の上部２０に設けられ、被取付部２００に着脱自在に取り付けられる給電端子２１と、筺体１０の周部３０に設けられた少なくとも１つの第１の発光素子３２と、筺体１０の底部４０に設けられた少なくとも１つの第２の発光素子４２と、筺体１０の内部に設けられ、第１の発光素子３２及び第２の発光素子４２のそれぞれに電力を供給する電源回路５０と、を備える。【選択図】図２
2017022004.tif 000002
【特許請求の範囲】
【請求項１】
筺体と、
前記筺体の上部に設けられ、被取付部に着脱自在に取り付けられる給電端子と、
前記筺体の周部に設けられた少なくとも１つの第１の発光素子と、
前記筺体の底部に設けられた少なくとも１つの第２の発光素子と、
前記筺体の内部に設けられ、前記第１の発光素子及び前記第２の発光素子のそれぞれに電力を供給する電源回路と、を備える
照明器具。
【請求項２】
前記被取付部は引掛シーリングであり、
前記給電端子は栓刃であり、
前記給電端子は、当該給電端子が前記被取付部に設けられた端子挿入孔に挿入されることで、前記被取付部に取り付けられる
請求項１に記載の照明器具。
【請求項３】
前記給電端子を前記被取付部に着脱自在に取り付けるための着脱部を有する
請求項２に記載の照明器具。
【請求項４】
前記着脱部は、ロック爪部とロック解除ボタンとを有し、
前記ロック爪部は、前記給電端子が前記被取付部に取り付けられたときに、前記上部から前記端子挿入孔内へ突出することで、前記給電端子と前記被取付部とをロックし、
前記ロック解除ボタンは、操作されることで、前記上部から前記端子挿入孔内へ突出した前記ロック爪部を前記筺体内へ没入させ、前記給電端子と前記被取付部とのロックを解除する
請求項３に記載の照明器具。
【請求項５】
前記ロック解除ボタンは、前記上部の上面に設けられる
請求項４に記載の照明器具。
【請求項６】
前記筺体の上部のうちの前記給電端子の周囲の領域は、樹脂部材で形成され、
前記筺体の上部のうちの前記給電端子の周囲の領域以外の領域は、金属部材で形成されている
請求項１〜５のいずれか１項に記載の照明器具。
【請求項７】
前記第１の発光素子と前記第２の発光素子とを覆う透光性カバーを備える
請求項１〜６のいずれか１項に記載の照明器具。
【発明の詳細な説明】
【技術分野】
【０００１】
本発明は、被取付部に取り付けられる照明器具に関する。
【背景技術】
【０００２】
従来、天井に取り付けられた被取付部（例えば引掛シーリング）に照明器具用アダプタを介して取り付けられる照明器具が知られている。特許文献１には、このような照明器具に関連する技術が記載されている。
【先行技術文献】
【特許文献】
【０００３】
【特許文献１】特開２０１５−０８８３３８号公報
【発明の概要】
【発明が解決しようとする課題】
【０００４】
ところで、照明器具が照明器具用アダプタを介して被取付部に取り付けられる場合、被取付部と照明器具との間に照明器具用アダプタが配置されるため、被取付部から照明器具までの厚みは、少なくとも照明器具用アダプタの厚み分、厚くなってしまう。
【０００５】
そこで本発明は、被取付部から照明器具までの厚みを薄くすることができる照明器具を提供することを目的とする。
【課題を解決するための手段】
【０００６】
本発明の一態様に係る照明器具は、筺体と、前記筺体の上部に設けられ、被取付部に着脱自在に取り付けられる給電端子と、前記筺体の周部に設けられた少なくとも１つの第１の発光素子と、前記筺体の底部に設けられた少なくとも１つの第２の発光素子と、前記筺体の内部に設けられ、前記第１の発光素子及び前記第２の発光素子のそれぞれに電力を供給する電源回路と、を備える。
【発明の効果】
【０００７】
本発明の一態様に係る照明器具によれば、被取付部から照明器具までの厚みを薄くすることができる。
【図面の簡単な説明】
【０００８】
【図１】実施の形態１に係る照明器具の外観斜視図である。
【図２】実施の形態１に係る照明器具の分解斜視図である。
【図３】実施の形態１に係る照明器具と被取付部との取り付け方法を説明するための図である。
【図４】実施の形態１に係る照明器具と被取付部との取り外し方法を説明するための図である。
【図５】実施の形態１に係る着脱部の動作を説明するための模式図である。
【図６】実施の形態２に係る照明器具の外観斜視図である。
【図７】その他の実施の形態に係る照明器具の外観斜視図である。
【図８】その他の実施の形態に係る照明器具の外観斜視図である。
【発明を実施するための形態】
【０００９】
以下では、本発明の実施の形態に係る照明器具について、図面を用いて詳細に説明する。なお、以下に説明する実施の形態は、いずれも本発明の好ましい一例を示すものであり、本発明を限定する趣旨ではない。また、各図は、厳密に図示されたものではなく各図において、同じ構成部材については同じ符号を付している。
【００１０】
（実施の形態１）
以下、実施の形態１について、図１から図５を用いて説明する。なお、以下の実施の形態では、照明器具が天井の被取付部（引掛シーリング）に取り付けられた状態において天井側を上側、床面側を下側と表現する。なお、照明器具が壁などに取り付けられた場合には壁側を上側、室内空間など照明される被照射面側が下側と表現する。
【００１１】
［照明器具の構造］
図１は、実施の形態１に係る照明器具１の外観斜視図である。図１の（ａ）は、照明器具１を上側から見た外観斜視図である。図１の（ｂ）は、照明器具１を下側から見た外観斜視図である。図１では、部材同士を固定するねじについては、図示していない。なお、図２以降についても、部材同士を固定するねじについては、図示していない。
【００１２】
照明器具１は、筺体１０と着脱部６０とを備え、図３に示す被取付部２００に取り付けられる。ここで、被取付部２００は、例えば、引掛シーリングである。
【００１３】
筺体１０は、例えば円形の蓋部分と有底円筒形部分とから構成される。ここで、蓋部分を上部２０、有底円筒形部分のうち円形の底を底部４０、底部４０の周縁から上部２０へ突出した周壁を周部３０と呼ぶ。周部３０及び底部４０は、例えば一体に形成される。筺体１０が被取付部２００に取り付けられたときに、筺体１０は、上部２０が上側、底部４０が下側となるように被取付部２００に取り付けられる。言い換えると、上部２０は天井側に位置し、底部４０は床面側に位置し、周部３０は上部２０と底部４０との間に位置する。なお、周部３０と底部４０とは断面視において直角の関係となっているが、所望の配光を得るため傾斜をもたせてもよい。
【００１４】
筺体１０の上部２０には、被取付部２００に着脱自在に取り付けられる電力供給用の給電端子２１が設けられる。給電端子２１が被取付部２００に取り付けられることで、照明器具１が被取付部２００に取り付けられる。給電端子２１は、上部２０の上面（天井と対向する面）に設けられる。給電端子２１は、例えば、金属製の板状の部材であり、給電端子２１の一端は、上部２０の上面から突出し、被取付部２００に着脱自在に取り付けられる。給電端子２１の他端は、筺体１０の内部に配置され、後述の電源回路５０又は発光素子を搭載した基板等に電力を供給する。給電端子２１は、照明器具１を被取付部２００に電気的及び機械的に接続するための例えば一対の栓刃である。ユーザは、給電端子２１を、被取付部２００の一対の刃受け（後述する端子挿入孔２１０）に挿入し、照明器具１を回動、すなわち照明器具１の軸を中心に回転させて、照明器具１を被取付部２００に係止保持させる。これにより、照明器具１は、被取付部２００に電気的及び機械的に接続される。
【００１５】
上部２０は、給電端子２１の周囲の領域２２と、給電端子２１の周囲の領域２２以外の領域２３とを有する。筺体１０の上部２０のうちの給電端子２１の周囲の領域２２は、樹脂部材で形成される。また、筺体１０の上部２０のうちの給電端子２１の周囲の領域２２以外の領域２３は、金属部材で形成されている。給電端子２１には、例えば交流電力が供給されるため、給電端子２１と金属部材の領域２３との絶縁性を確保するために、領域２２は樹脂材料で形成されることが好ましい。また、一般的に照明器具は熱を発するため、照明器具で発生した熱を放熱する必要がある。したがって、領域２２以外の領域２３は金属部材で形成されることが好ましい。また、領域２２は放熱性能の高い樹脂部材で形成されることが好ましい。なお、領域２３においても、放熱性能の高い樹脂部材で形成されてもよい。
【００１６】
上部２０には、例えば、ねじ孔２４ａが３箇所設けられている。ねじ孔２４ａは、筺体１０の蓋部分（上部２０）を有底円筒形部分（周部３０及び底部４０）に取り付けるためのねじ孔である。
【００１７】
筺体１０の周部３０には、少なくとも１つの第１の発光素子３２が設けられる。本実施の形態においては、第１の発光素子３２は、例えば、長尺状の基板３１に所定の間隔をおいて一列に実装されている。この基板３１が筺体１０の周部３０に設けられることで、周部３０の外周面に亘って、第１の発光素子３２が複数個設けられる。第１の発光素子３２は、例えば、ＬＥＤ（Ｌｉｇｈｔ  Ｅｍｉｔｔｉｎｇ  Ｄｉｏｄｅ）光源である。第１の発光素子３２は、例えば照明器具１の周囲横方向の外方に光を照射する。ここで、照明器具１の横方向とは、照明器具１の真横方向に限らず、真横方向を中心とした上下の所定の範囲を含む方向である。本実施の形態では、周部３０は円筒形状の湾曲面を有していることから、基板３１としては例えばフレキシブル基板であることが好ましい。例えば、基板３１としてフレキシブル基板を用いることで、第１の発光素子３２を設けていない側であるフレキシブル基板の裏面を、周部３０の湾曲面に密着させることができる。したがって、基板３１は第１の発光素子３２からの点灯中に発生する熱を筺体１０に伝えるため、基板３１を放熱に寄与させることができる。
【００１８】
筺体１０の底部４０の下面（床面と対向する面）には、少なくとも１つの第２の発光素子４２が実装された基板４１が設けられる。本実施の形態においては、第２の発光素子４２が所定の間隔をもって複数個実装された板形状の基板４１が底部４０に設けられる。第２の発光素子４２は、例えば、第１の発光素子３２と同様にＬＥＤ光源を用いている。第２の発光素子４２は、例えば照明器具１の下方向を照射する。ここで、照明器具１の下方向とは、照明器具１の真下方向に限らず、真下方向を中心とした左右の所定の範囲を含む方向である。
【００１９】
着脱部６０は、給電端子２１を被取付部２００に着脱自在に取り付ける構造を有する。着脱部６０は、ロック解除部７０とロック部８０とを有する。ロック解除部７０は、ロック解除ボタン７１を有し、ロック部８０は、ロック爪部８１を有する。着脱部６０は、後述する図４及び図５で詳細に説明する。
【００２０】
図２は、実施の形態１に係る照明器具１の分解斜視図である。図２には、筺体１０が蓋部分（上部２０）と有底円筒形部分（周部３０及び底部４０）とに分解された図が示される。図２の（ａ）は、照明器具１を上側から見た分解斜視図である。図２の（ｂ）は照明器具１を下側から見た分解斜視図である。
【００２１】
図２の（ａ）に示されるように、筺体１０の内部には、第１の発光素子３２及び第２の発光素子４２のそれぞれに電力を供給する電源回路５０が設けられる。電源回路５０は、例えば、給電端子２１からの交流電力を直流電力に変換し、直流電力を第１の発光素子３２及び第２の発光素子４２に供給する。電源回路５０は、図２の（ａ）に示されるように、例えば、ケースに収納されている。なお、電源回路５０は、絶縁性等が保たれるのであればケースに収納されなくてもよい。
【００２２】
また、筺体１０の内部には、ねじ受け孔２４ｂが３箇所設けられている。ねじ受け孔２４ｂは、筺体１０の上部２０を周部３０及び底部４０に取り付けるためのねじ孔である。なお、上部２０と、一体に形成された周部３０及び底部４０とを取り付ける方法は、ねじ止めに限らない。また、上部２０と、一体に形成された周部３０及び底部４０とが取り付けられたが、これに限らない。例えば、底部４０と、一体に形成された上部２０及び周部３０とが取り付けられてもよい。また、上部２０と周部３０と底部４０とがそれぞれ独立に形成され、上部２０と周部３０とが取り付けられ、周部３０と底部４０とが取り付けられてもよい。
【００２３】
図２の（ｂ）に示されるように、上述した給電端子２１の他端として給電部２１ａが筺体１０の内部に配置される。給電部２１ａは、電源回路５０に電力を供給するための端子であり、例えば、電源回路５０に電力を供給するための電線（図示せず）が接続される。これにより、電源回路５０は、被取付部２００から給電端子２１（給電部２１ａ）を介して交流電力が供給される。
【００２４】
また、上部２０は、下側に向けて突出する規制部２５を上部２０の下面に有する。規制部２５については、後述する図５で詳細に説明する。
【００２５】
このように、照明器具１は、照明器具用アダプタを介さず照明器具１を被取付部２００に直接取り付けるための給電端子２１を備える。また、照明器具１は、照明器具１の横方向を照明する第１の発光素子３２及び下方向を照明する第２の発光素子４２と、第１の発光素子３２及び第２の発光素子４２に電力を供給する電源回路５０とを備える。つまり、照明器具用アダプタの内部に電源回路が設けられ、天井側の面以外に発光素子が設けられたものを照明器具１としている。
【００２６】
なお、第１の発光素子３２、第２の発光素子４２及び電源回路５０は、熱を発生するため、周部３０及び底部４０は、金属部材で形成されることが好ましい。なお、周部３０及び底部４０は、放熱性能の高い樹脂部材で形成されてもよい。
【００２７】
［照明器具と被取付部との着脱］
次に、照明器具１と被取付部２００との取り付け方法について説明する。
【００２８】
図３は、実施の形態１に係る照明器具１と被取付部２００との取り付け方法を説明するための図である。
【００２９】
被取付部２００には、一対の刃受けである、端子挿入孔２１０（挿入口２１１及びガイド孔２１２）が設けられる。また、図示されないが、被取付部２００は、内部に給電端子２１を保持する端子受け部を備える。
【００３０】
照明器具１の被取付部２００への取り付け方法は、以下の通りである。なお、被取付部２００は、天井面に取り付けられているものとする。
【００３１】
照明器具１は、上部２０の上面が被取付部２００の下面に対向した状態で取り付けられる。
【００３２】
具体的には、まず、ユーザは、照明器具１の給電端子２１を被取付部２００の挿入口２１１に挿入する。図３では、給電端子２１は見えないが、図３に示される挿入口２１１へ向かう矢印の始点に給電端子２１が位置している。給電端子２１が挿入口２１１へ挿入されたとき、照明器具１の上部２０の上面と被取付部２００の下面とが当接した状態となる。このとき、詳細は後述する図５で説明するが、上側へ押し上げられる力がかけられたロック爪部８１は被取付部２００の下面によって押し下げられ、筺体１０の内部に没入する。
【００３３】
次に、ユーザは、底部４０側から見て、被取付部２００に対して照明器具１を時計回りに回動させる。これにより、給電端子２１は、ガイド孔２１２に沿って移動する。給電端子２１がガイド孔２１２の終端に達するまで照明器具１が回動されると、給電端子２１は、被取付部２００の内部に設けられた端子受け部に保持される。これにより、被取付部２００と照明器具１とは、電気的及び機械的に接続される。このように、給電端子２１は、被取付部２００に設けられた端子挿入孔２１０に挿入されることで、被取付部２００に取り付けられる。
【００３４】
また、給電端子２１がガイド孔２１２の終端に達すると、ロック爪部８１の位置が、挿入口２１１の位置に一致する。上述したように、ロック爪部８１には、上側へ押し上げられる力がかけられているため、筺体１０の内部に没入した状態から上部２０の上面から突出した状態になり、挿入口２１１に嵌まり込む。
【００３５】
この状態では、照明器具１の被取付部２００に対する取り外し方向の（反時計回りの）回動は、ロック爪部８１と挿入口２１１の内周面とが当接することによりロック（回動阻止状態）される。このように、ロック爪部８１は、給電端子２１が被取付部２００に取り付けられたときに、上部２０から端子挿入孔２１０へ突出することで、給電端子２１と被取付部２００とをロックする。
【００３６】
次に、照明器具１と被取付部２００との取り外し方法について説明する。
【００３７】
図４は、実施の形態１に係る照明器具１と被取付部２００との取り外し方法を説明するための図である。
【００３８】
上述したように、着脱部６０は、給電端子２１を被取付部２００に着脱自在に取り付ける構造を有し、ロック解除部７０とロック部８０とを有する。
【００３９】
ロック部８０は、照明器具１が被取付部２００に取り付けられた状態において、照明器具１が被取付部２００から外れないようにロックするための部材であり、ロック爪部８１を備える。ロック爪部８１は、例えば、上部２０を上下方向に貫通する開口から上側へ突出している。また、ロック部８０は、ロック解除部７０の動作によって移動させられる。
【００４０】
ロック解除部７０は、ロック部８０によるロックを解除するための部材であり、ロック解除ボタン７１を有する。ロック解除部７０は、例えば、樹脂部材で形成される。ロック解除ボタン７１は、例えば、上部２０の上面に設けられる。これにより、第１の発光素子３２を周部３０の外周面の全域に設けることができ、第２の発光素子を底部４０の下面の全域に設けることができる。また、ロック解除ボタン７１の上下方向の幅は、照明器具１が被取付部２００に取り付けられたときにできる天井面と上部２０の上面との間の幅（つまり、被取付部２００の上下方向の幅）よりも小さい。これにより、ロック解除ボタン７１は、照明器具１と被取付部２００との取り付けを妨げない。ロック解除ボタン７１は、被取付部２００に取り付けられ、ロック爪部８１によってロックされた状態の照明器具１を、被取付部２００から取り外す際に、ユーザに操作される。例えば、ロック解除ボタン７１は、図４の（ａ）に示されるように、上部２０の上面と平行な方向における上部２０の中心方向（図４の（ａ）に示される矢印の方向）に移動させられる。
【００４１】
ロック部８０は、ロック解除ボタン７１が操作される（例えば図４の（ａ）に示される矢印の方向に移動させられる）ことで、下側へ移動させられる。具体的には、ロック解除ボタン７１は、上部２０から端子挿入孔２１０へ突出したロック爪部８１を、図４の（ｂ）に示されるように、筺体１０内へ向けて移動させる（没入させる）。つまり、ロック解除ボタン７１は、ロック爪部８１を筺体１０の内側に向けて移動させる（没入させる）ためのボタンである。これにより、ロック解除ボタン７１は、給電端子２１と被取付部２００とのロック（回動阻止状態）を解除する。
【００４２】
照明器具１が被取付部２００に取り付けられた状態では、ロック爪部８１が被取付部２００の挿入口２１１の内周面に当接し、照明器具１と、被取付部２００とはロックされている。しかしながら、ロック解除ボタン７１が押されると、ロック爪部８１が上部２０の上面側から下面側の方向へ（筺体１０の内側へ）押し下げられるため、ロック爪部８１と挿入口２１１の内周面との当接が解消される。これにより、ユーザは、ロック解除ボタン７１を押したまま、照明器具１を被取付部２００に対して取り外し方向（反時計回りの方向）に向けて回動させることができる。
【００４３】
そして、ユーザは、給電端子２１が被取付部２００の挿入口２１１の位置に達するまで照明器具１を回動させれば、照明器具１を被取付部２００から取り外すことができる。
【００４４】
次に、照明器具１と被取付部２００との取り外し方法についてより詳細に説明する。
【００４５】
図５は、実施の形態１に係る着脱部６０の動作を説明するための模式図である。なお、図５は、側面側から見た筺体１０の内部構造を簡易的に示した図であり、筺体１０（上部２０、周部３０及び底部４０）が断面図として図示されている。
【００４６】
図５に示されるように、ロック部８０と底部４０の上面との間にはコイルばね６１が挿入される。これにより、ロック部８０（ロック爪部８１）には、上側へ押し上げられる力がかけられ、図５の（ａ）に示されるように、ロック爪部８１が筺体１０の上部２０の上面から突出させられる。
【００４７】
ロック解除部７０は傾斜面７２を有し、ロック部８０は傾斜面８２を有する。傾斜面７２と傾斜面８２とは、当接し、摺動可能に配置されている。具体的には、ロック解除部７０が、上部２０の上面と平行な方向における上部２０の中心方向（図５の（ｂ）に示される右矢印の方向、以降、右方向と呼ぶ）に力がかけられると、傾斜面７２と傾斜面８２とが当接し、ロック部８０には、右方向の力がかかる。このとき、ロック部８０は、規制部２５によって、右方向への移動が規制されている。したがって、ロック部８０に右方向にかかる力は、傾斜面７２と傾斜面８２とにより下方向への力に変換され、ロック部８０は、下側（図５の（ｂ）に示される下矢印方向）へ移動させられる。
【００４８】
これにより、ユーザがロック解除ボタン７１を上部２０の上面と平行な方向における上部２０の中心方向に押し込むと、ロック解除部７０の傾斜面７２が、ロック部８０の傾斜面８２と摺動する。この結果、コイルばね６１の付勢力（弾性力）に抗してロック爪部８１（ロック部８０）が筺体１０の上部２０の上面側から下面側に押し下げられる。したがって、ユーザは、ロック解除ボタン７１を押したまま、照明器具１を被取付部２００に対して取り外し方向（反時計回りの方向）に向けて回動させることができ、照明器具１を被取付部２００から取り外すことができる。
【００４９】
このように、照明器具１は、給電端子２１を被取付部２００に着脱自在に取り付けるための着脱部６０を有する。具体的には、照明器具１は、着脱部６０のロック部８０（ロック爪部８１）によって、被取付部２００との取り付けをロックさせられ、着脱部６０のロック解除部７０（ロック解除ボタン７１）によって、被取付部２００とのロックは解除させられる。
【００５０】
［効果等］
照明器具が照明器具用アダプタを介して被取付部（例えば引掛シーリング）に取り付けられる場合、被取付部と照明器具との間に照明器具用アダプタが配置されるため、被取付部から照明器具までの厚みは、少なくとも照明器具用アダプタの厚み分、厚くなってしまう。
【００５１】
そこで、本実施の形態に係る照明器具１は、筺体１０と、筺体１０の上部２０に設けられ、被取付部２００に着脱自在に取り付けられる給電端子２１と、筺体１０の周部３０に設けられた少なくとも１つの第１の発光素子３２と、筺体１０の底部４０に設けられた少なくとも１つの第２の発光素子４２と、筺体１０の内部に設けられ、第１の発光素子３２及び第２の発光素子４２のそれぞれに電力を供給する電源回路５０と、を備える。
【００５２】
これにより、照明器具１は、照明器具用アダプタを介さず被取付部２００に直接取り付けるための給電端子２１を備える。また、照明器具１は、照明器具１の横側を照明する第１の発光素子３２及び照明器具１の下側を照明する第２の発光素子４２と、第１の発光素子３２及び第２の発光素子４２に電力を供給する電源回路５０とを備える。つまり、照明器具用アダプタの内部に電源回路が設けられ、天井側の面以外に発光素子が設けられたものを照明器具１としている。したがって、照明器具用アダプタを介さずに照明器具１を被取付部２００に直接取り付けることができるため、照明器具用アダプタの厚み分、被取付部２００から照明器具１までの厚みを薄くすることができる。また、照明器具１は、天井側の面以外に発光素子が設けられているため、広い範囲（照明器具１の横方向及び下方向）を照明することができる。
【００５３】
また、被取付部２００は引掛シーリングであり、給電端子２１は栓刃であり、給電端子２１は、給電端子２１が被取付部２００に設けられた端子挿入孔２１０に挿入されることで、被取付部２００に取り付けられる。
【００５４】
これにより、照明器具用アダプタを介さずに照明器具１を被取付部２００（引掛シーリング）に直接取り付けることができるため、照明器具用アダプタの厚み分、被取付部２００（引掛シーリング）から照明器具１までの厚みを薄くすることができる。
【００５５】
また、照明器具１は、給電端子２１を被取付部２００に着脱自在に取り付けるための着脱部６０を有する。
【００５６】
これにより、照明器具１は、着脱部６０によって、被取付部２００に着脱自在に取り付けられる。
【００５７】
また、着脱部６０は、ロック爪部８１とロック解除ボタン７１とを有する。ロック爪部８１は、給電端子２１が被取付部２００に取り付けられたときに、上部２０から端子挿入孔２１０内へ突出することで、給電端子２１と被取付部２００とをロックする。また、ロック解除ボタン７１は、操作されることで、上部２０から端子挿入孔２１０内へ突出したロック爪部８１を筺体１０内へ没入させ、給電端子２１と被取付部２００とのロックを解除する。
【００５８】
これにより、ロック爪部８１によって照明器具１と被取付部２００との取り付けがロックされ、ロック解除ボタン７１が操作されることで照明器具１と被取付部２００との取り付けのロックが解除される。つまり、着脱部６０によって、容易に照明器具１を被取付部２００に着脱自在に取り付けることができる。
【００５９】
また、ロック解除ボタン７１は、上部２０の上面に設けられる。
【００６０】
これにより、第１の発光素子３２を周部３０の外周面の全域に設けることができ、第２の発光素子４２を底部４０の下面の全域に設けることができる。
【００６１】
また、筺体１０の上部２０のうちの給電端子２１の周囲の領域２２は、樹脂部材で形成され、筺体１０の上部２０のうちの給電端子２１の周囲の領域２２以外の領域２３は、金属部材で形成されている。
【００６２】
これにより、給電端子２１と領域２３との絶縁性を確保することができる。また、例えば、２つの給電端子２１間の絶縁性を確保することができる。
【００６３】
（実施の形態２）
次に、実施の形態２に係る照明器具について図６を用いて説明する。
【００６４】
本実施の形態に係る照明器具１ａは、第１の発光素子３２と第２の発光素子４２とを覆う透光性カバー９０を備える。照明器具１ａの構成は、透光性カバー９０を備える点以外は、実施の形態１に係る照明器具１におけるものと同じであるため、詳細な説明は省略する。
【００６５】
［透光性カバーの構造］
図６は、実施の形態２に係る照明器具１ａの外観斜視図である。図６の（ａ）は、照明器具１ａを上側から見た外観斜視図である。図６の（ｂ）は照明器具１ａを下側から見た外観斜視図である。なお、照明器具１ａの構成は、透光性カバー９０を備える点以外は、実施の形態１に係る照明器具１におけるものと同じであるため、透光性カバー９０以外の符号は省略している。
【００６６】
透光性カバー９０は、上側が開口した有底円筒形の形状を有する。透光性カバー９０は、周部３０及び底部４０を底部４０側から覆って、筺体１０に取り付けられる。これにより、透光性カバー９０は、第１の発光素子３２と第２の発光素子４２とを覆う。つまり、透光性カバー９０は、照明器具１の外面の一部を構成し、第１の発光素子３２及び第２の発光素子４２を保護している。透光性カバー９０は、第１の発光素子３２及び第２の発光素子４２が発する光を照明器具１の外部に透光する材料で構成されている。透光性カバー９０は、例えば、アクリル又はポリカーボネート等の樹脂材料、又は、ガラス材料等により形成される。また、透光性カバー９０は、例えば、第１の発光素子３２及び第２の発光素子４２からの光を拡散するための光拡散機能を有する。
【００６７】
［効果等］
照明器具１ａは、第１の発光素子３２と第２の発光素子４２とを覆う透光性カバー９０を備える。
【００６８】
これにより、第１の発光素子３２及び第２の発光素子４２は、透光性カバー９０により、保護される。また、例えば、透光性カバー９０が光拡散機能を有することで、第１の発光素子３２及び第２の発光素子４２からの光を拡散することができる。
【００６９】
（その他の実施の形態）
以上、実施の形態に係る照明器具について説明したが、本発明は、上記実施の形態に限定されるものではない。
【００７０】
例えば、上記実施の形態では、照明器具は、天井に設けられた被取付部２００に取り付けられたが、これに限らない。例えば、照明器具は、壁などに設けられた被取付部に取り付けられてもよい。
【００７１】
例えば、上記実施の形態では、筺体１０は、円形の蓋部分（上部２０）と有底円筒形部分（周部３０及び底部４０）とから構成されたが、これに限らず、その他の形状を有してもよい。その他の形状の筺体の一例について、図７を用いて説明する。
【００７２】
図７は、その他の実施の形態に係る照明器具１００の外観斜視図である。図７の（ａ）は、照明器具１００を上側から見た外観斜視図である。図７の（ｂ）は照明器具１００を下側から見た外観斜視図である。なお、照明器具１００は、筺体１０と形状の異なる筺体１１０を備えることが、実施の形態１における照明器具１と異なり、その他の点は、実施の形態１に係る照明器具１におけるものと同じであるため、詳細な説明は省略する。また、図７における符号も実施の形態１におけるものと異なるものにのみ符号を記載している。
【００７３】
図７に示されるように、筺体１１０は、例えば四角形（例えば正方形）の蓋部分と有底角筒形部分とから構成される。ここで、蓋部分を上部１２０、有底角筒形部分のうち四角形（例えば正方形）の底を底部１４０、底部１４０の周縁から上部１２０へ突出した周壁を周部１３０と呼ぶ。これにより、周部１３０は例えば４つの面から形成される。また、周部１３０及び底部１４０は、例えば一体に形成される。筺体１１０が被取付部２００に取り付けられたときに、筺体１１０は、上部１２０が上側、底部１４０が下側となるように被取付部２００に取り付けられる。言い換えると、上部１２０は天井側に位置し、底部１４０は床面側に位置し、周部１３０は上部１２０と底部１４０との間に位置する。なお、周部１３０と底部１４０とは断面視直角の関係となっているが、所望の配光を得るため傾斜をもたせても良い。
【００７４】
筺体１１０の周部１３０には、少なくとも１つの第１の発光素子１３２が設けられる。本実施の形態においては、第１の発光素子１３２は、例えば長尺の基板１３１上に所定の間隔をおいて複数個実装されている。この基板１３１が周部１３０の外周面に設けられる。第１の発光素子１３２は、例えば、ＬＥＤ光源が使用される。基板１３１は、周部１３０を形成する４つの面のそれぞれに設けられる。また、実施の形態１における基板３１は、フレキシブル基板であることが好ましかったが、基板１３１は、フレキシブル基板でなくてもよい。
【００７５】
筺体１０の底部１４０の下面には、少なくとも１つの第２の発光素子１４２が実装された基板１４１が設けられる。本実施の形態においては、第２の発光素子１４２が所定の間隔をもって複数個実装された板形状の基板１４１が底部１４０に設けられる。第２の発光素子１４２は、例えば、第１の発光素子１３２と同様にＬＥＤ光源を用いている。
【００７６】
このように、照明器具の筺体の形状は、円筒形状に限らず、その他の形状であってもよい。
【００７７】
また、上記実施の形態１では、照明器具１ａは、筺体１０の形状に応じた有底円筒形の透光性カバー９０を有したが、これに限らず、照明器具は、照明器具の筺体の形状に応じたその他の形状の透光性カバーを備えてもよい。その他の形状の透光性カバーの一例について、図８を用いて説明する。
【００７８】
図８は、その他の実施の形態に係る照明器具１００ａの外観斜視図である。図８の（ａ）は、照明器具１００ａを上側から見た外観斜視図である。図８の（ｂ）は照明器具１００ａを下側から見た外観斜視図である。なお、照明器具１００ａの構成は、透光性カバー１９０ａ及び１９０ｂを備える点以外は、実施の形態２に係る照明器具１００におけるものと同じであるため、詳細な説明は省略する。また、図８において、透光性カバー１９０ａ及び１９０ｂ以外の符号は省略している。
【００７９】
透光性カバー１９０ａ及び１９０ｂは、１つの面が開口した有底角筒形の形状を有する。透光性カバー１９０ａは、例えば、図８に示される４つの周部１３０のそれぞれに設けられた第１の発光素子１３２を覆うようにして、周部１３０のそれぞれに取り付けられる。また、透光性カバー１９０ｂは、底部１４０に設けられた第２の発光素子１４２を覆うようにして、底部１４０に取り付けられる。また、透光性カバー１９０ａ及び１９０ｂは、照明器具１００ａの外面の一部を構成し、第１の発光素子１３２及び第２の発光素子１４２を保護している。透光性カバー１９０ａ及び１９０ｂは、第１の発光素子１３２及び第２の発光素子１４２が発する光を照明器具１００ａの外部に透光する材料で構成されている。透光性カバー１９０ａ及び１９０ｂは、例えば、アクリル又はポリカーボネート等の樹脂材料、又は、ガラス材料等により形成される。また、透光性カバー１９０ａ及び１９０ｂは、例えば、第１の発光素子１３２及び第２の発光素子１４２からの光を拡散するための光拡散機能を有する。
【００８０】
このように、透光性カバーの形状は、有底円筒形に限らず、その他の形状であってもよい。
【００８１】
また、上記実施の形態では、底部４０の形状は板状であったが、これに限らず、例えば球状でもよい。具体的には、周部３０から底部４０にかけて球状であってもよい。この場合、基板３１及び４１は例えばフレキシブル基板であることが好ましい。また、周部３０は、底部４０から上部２０に向けて底部４０と垂直に突出したが、これに限らない。例えば、周部３０は、筺体１０の内部側に傾いて底部４０から突出してもよく、筺体１０の外部側に傾いて底部４０から突出してもよい。この場合、周部３０に設けられた第２の発光素子４２は、少なくとも照明器具１の周囲横方向を照射すればよい。
【００８２】
また、上記実施の形態では、ロック解除ボタン７１は、上部２０の上面と平行な方向における上部２０の中心方向に移動させられたが、これに限らない。例えば、ロック解除ボタン７１は、上側又は下側に移動させられてもよい。ただし、この場合、着脱部６０は、ロック解除ボタン７１が上側又は下側に移動させられることでロック爪部８１が下側（筺体１０の内側）へ移動する構造を有する。
【００８３】
また、上記実施の形態では、ロック部８０は、コイルばね６１の付勢力によって上側へ力がかけられたが、これに限らない。例えば、ロック部８０は、その他の弾性部材によって上側へ力がかけられてもよい。
【００８４】
また、上記実施の形態では、被取付部２００は、引掛シーリングであり、給電端子２１は栓刃であったが、これに限らない。例えば、給電端子２１は、ＧＸ５３口金又はＧＨ７６ｐ口金等の口金であってもよく、被取付部２００は、これらの口金が取り付けられるソケットであってもよい。
【００８５】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８６】
１、１ａ、１００、１００ａ  照明器具
１０、１１０  筺体
２０、１２０  上部
２１  給電端子
２２、２３  領域
３０、１３０  周部
３２、１３２  第１の発光素子
４０、１４０  底部
４２、１４２  第２の発光素子
５０  電源回路
６０  着脱部
７１  ロック解除ボタン
８１  ロック爪部
９０、１９０ａ、１９０ｂ  透光性カバー
２００  被取付部
２１０  端子挿入孔
【図１】
2017022004.tif 000003
【図２】
2017022004.tif 000004
【図３】
2017022004.tif 000005
【図４】
2017022004.tif 000006
【図５】
2017022004.tif 000007
【図６】
2017022004.tif 000008
【図７】
2017022004.tif 000009
【図８】
2017022004.tif 000010